(57)【要約】【課題】回路規模や回路コストを抑えつつ、複数の蛍光管の一部で発生した電圧低下についても確実に検出する。【解決手段】バックライト１８の複数の蛍光管のそれぞれに交流電源を供給するインバータ回路２０と、蛍光管ごとに設けられるとともに各蛍光管の端子電圧を所定割合に分圧する複数の分圧回路３１ａ，３１ｂ，３１ｃ，・・・と、分圧回路ごとに設けられるとともに対応する分圧回路の分圧のピークホールド電圧を生成する複数のピークホールド回路３２ａ，３２ｂ，３２ｃ，・・・と、複数のピークホールド電圧の最小値をＯＲ電圧として出力する等価電圧検出回路３３と、ＯＲ電圧が所定電圧よりも低下するとプロテクト信号を出力する比較検知回路３５ならびにプロテクト信号生成回路３６と、プロテクト信号生成回路３６からプロテクト信号を入力されるとテレビジョン１００をシャットダウンするマイコン２４と、を備える。【選択図】図２
2011102937.tif 000002
【特許請求の範囲】
【請求項１】
複数の放電灯を備えたバックライトを有する表示装置において、
上記複数の放電灯のそれぞれに交流電源を供給する電源供給回路と、
上記放電灯ごとに設けられるとともに各放電灯の端子電圧を所定割合に分圧する複数の分圧回路と、
上記分圧回路ごとに設けられるとともに対応する分圧回路の分圧のピークホールド電圧を生成する複数のピークホールド回路と、
複数の上記ピークホールド電圧の最小値をＯＲ電圧として出力する等価電圧検出回路と、
上記ＯＲ電圧が所定電圧よりも低下すると所定の制御信号を出力する比較回路と、
上記比較回路から上記所定の制御信号を入力されると本表示装置をシャットダウンする保護手段と、
を備えていることを特徴とする放電灯によるバックライトを有する表示装置。
【請求項２】
上記等価電圧検出回路は、上記ピークホールド回路の各々から出力されるピークホールド電圧をそれぞれカソードに入力されている複数のダイオードと、該複数のダイオードのアノードに一端を接続されるとともに他端に定電圧を印加されている第１抵抗と、上記複数のダイオードのアノードや上記第１抵抗の一端にアノードを接続されている第２ダイオードと、を備える請求項１に記載の表示装置。
【請求項３】
上記分圧回路は、コンデンサ分圧回路にて上記端子電圧を所定割合に分圧するとともに、この分圧された端子電圧を分割抵抗にて所定割合に分圧して出力する請求項１または請求項２に記載の表示装置。
【請求項４】
上記ピークホールド回路は、上記分圧回路の出力する分圧をアノードに入力されている第３ダイオードと、該第３ダイオードのカソードに一端を接続されるとともに他端をグランドに接続された第２抵抗と、上記第３ダイオードのカソードおよび第２抵抗の一端に一端が接続されるとともに他端をグランドに接続された第１コンデンサと、を備える請求項１〜請求項３の何れか１項に記載の表示装置。
【請求項５】
上記等価電圧検出回路と上記比較回路の間に、上記ＯＲ電圧のピーク値をホールドするピークホールド回路を備える請求項１〜請求項４の何れか１項に記載の表示装置。
【請求項６】
上記ピークホールド回路は入力される電圧を蓄積するコンデンサと並列に挿入される抵抗とにより所定の時定数で上記入力される電圧を放電する時定数回路を備えており、上記等価電圧検出回路の後段に設けられるピークホールド回路は、上記等価電圧検出回路の前段に設けられるピークホールド回路よりも時定数を大きく設定されている請求項５に記載の表示装置。
【発明の詳細な説明】
【技術分野】
【０００１】
本発明は、放電灯によるバックライトを有する表示装置に関する。
【背景技術】
【０００２】
引用文献１には、複数のＣＣＦＬの端子電圧について論理和をとるピークホールド回路と、この論理和と所定電圧とをコンパレータで比較することによりＣＣＦＬのいずれかに発生した過電流を検出する過電流検出回路部と、過電流検出回路部が過電流を検知すると電源回路に停止信号を出力する停止信号生成回路部とを備えており、停止信号を入力された電源回路が電源電圧出力を停止する冷陰極蛍光管駆動回路について開示されている。
引用文献２には、複数の放電ランプの管電流をそれぞれ電圧変換するとともに半波整流する複数のランプ電流モニタ回路と、これら半波整流された電圧をまとめた電圧と所定電圧とを比較し、このまとめた電圧が所定電圧よりも低いときにインバータ回路を停止させる信号を出力するコンパレータを備えた放電点灯装置について開示されている。
引用文献３には、複数の放電管に供給する交流電流を生成するトランスの出力する交流電流を監視する電流検出回路と、同トランスの出力する交流電圧を監視する電圧検出回路と、電流検出回路と電圧検出回路の論理積を求めるＡＮＤ演算器とを備えた放電灯点灯装置について開示されている。
引用文献４には、複数の放電灯の高周波電源と、複数の放電灯の両端電圧をここに検出する電圧検出回路と、これら電圧検出回路により検出された両端電圧中の最大値を選択するＯＲ回路と、この最大値に基づいて放電灯に高周波電源の出力周波数を制御する制御回路と、を備える多灯放電灯一括点灯回路について開示されている。
引用文献５には、複数の放電灯について放電灯電圧等の物理量をそれぞれ検出する複数の検出器と、すべての検出器の出力信号を入力として所定の演算方法に基づいて基準信号を出力する演算器と、同基準信号と検出器の出力信号とを比較する比較器とを備えて、同比較器の出力に基づいて放電灯の点灯制御を行う放電灯点灯装置について開示されている。
【先行技術文献】
【特許文献】
【０００３】
【特許文献１】特開2005-340023号公報
【特許文献２】特開2004-281361号公報
【特許文献３】特開2005-251580号公報
【特許文献４】特許2881764号公報
【特許文献５】特開2009-076407号公報
【発明の概要】
【発明が解決しようとする課題】
【０００４】
上述した特許文献１，２，４，５に記載の回路においては、放電灯の点灯状態を監視して放電灯の異常を検出するための保護回路を備えている。放電灯の異常には、出力の上昇と低下とがあるが、出力の低下を監視できる保護回路について開示されているのは、上述した特許文献４，５である。しかしながら特許文献４の保護回路は、複数の放電灯の全体的な電圧傾向を監視するものであって複数の放電灯の一部だけで発生する異常を検出するものではないし、各放電灯で個別に発生する異常まで検出しようとすると、特許文献５に示すように、どうしても回路規模が大きくなり、例えばコンパレータを多用することになってしまう。
【０００５】
本発明は、上記課題に鑑みてなされたもので、放電灯によるバックライトを有する表示装置において、回路規模や回路コストを抑えた保護回路であって、複数の放電灯の中の一部に電圧低下が発生したときに、この一部の放電灯の電圧低下を確実に検出可能な保護回路を表示装置に備えさせることを目的とする。
【課題を解決するための手段】
【０００６】
上記課題を解決するために、本発明にかかる表示装置では、複数の放電灯を備えたバックライトを有する表示装置において、上記複数の放電灯のそれぞれに交流電源を供給する電源供給回路と、上記放電灯ごとに設けられるとともに各放電灯の端子電圧を所定割合に分圧する複数の分圧回路と、上記分圧回路ごとに設けられるとともに対応する分圧回路の分圧のピークホールド電圧を生成する複数のピークホールド回路と、複数の上記ピークホールド電圧の最小値をＯＲ電圧として出力する等価電圧検出回路と、上記ＯＲ電圧が所定電圧よりも低下すると所定の制御信号を出力する比較回路と、上記比較回路から上記所定の制御信号を入力されると本表示装置をシャットダウンする保護手段と、を備える構成としてある。
【０００７】
以上のように構成された表示装置において、上記電源供給回路は所定の交流電源から上記複数の放電灯のそれぞれに供給するための交流電源を生成し、生成した交流電源を複数の放電灯に供給して点灯させる。上記分圧回路は、放電灯の一方の端子電圧を監視するのであれば放電灯の数だけ、放電灯の両方の端子電圧を監視するのであれば放電灯の端子の数だけ設けられており、各端子電圧を所定割合に減じた分圧を上記ピークホールド回路に出力する。この分圧も上記端子電圧の交流やノイズなどに起因する変動に応じて変動している。そこで、上記端子電圧が、規定値からのズレ量を総合的に評価するための評価用電圧として、上記ピークホールド回路は、入力された分圧を整流平滑することにより分圧のピーク値をホールドしたピークホールド電圧を生成する。上記ピークホールド回路は、上記分圧回路と同数だけ設けられており、１つの分圧回路の出力が１つのピークホールド回路に入力されるようになっている。
【０００８】
このようにして生成された複数のピークホールド電圧は、上記等価電圧検出回路に入力されており、上記等価電圧検出回路はこれら複数の上記ピークホールド電圧の中の最小のものを出力することになる。この出力値は、放電灯の端子電圧の中で最も低下しているものと等価な電圧であり、放電灯のいずれか１端子でも電圧が低下していると、低下した電圧が出力されるという意味で、論理和電圧、すなわちＯＲ電圧と呼んでいる。
【０００９】
そして、上記比較回路は上記ＯＲ電圧と所定電圧とを比較し、上記ＯＲ電圧が所定電圧よりも低下している場合には所定の制御信号を出力することになる。ＯＲ電圧と比較される所定電圧は、上記端子電圧の規定値の下限の電圧から生成された評価用電圧と同等の値となっている。上記保護手段は、所定の制御信号の伝送ラインを監視しており、所定の制御信号が入力されると本表示装置をシャットダウンすることにより、上記放電灯や上記電源回路を保護し、ひいては装置そのものを保護する。以上の構成によれば、上記等価電圧検出回路の後段に形成される比較回路を１つだけ設ければよく、複数の放電灯の端子電圧を効率的に監視することが可能となる。
【００１０】
また、本発明の選択的な一態様として、上記等価電圧検出回路は、上記ピークホールド回路の各々から出力されるピークホールド電圧をそれぞれカソードに入力されている複数のダイオードと、該複数のダイオードのアノードに一端を接続されるとともに他端に定電圧を印加されている第１抵抗と、上記複数のダイオードのアノードや上記第１抵抗の一端にアノードを接続される構成としてもよい。該構成によれば、上記複数のピークホールド回路において生成されるピークホールド電圧の等電位を後段に伝えつつ、等価電圧検出回路の前段と後段との間に電流が流れないようにすることができる。
【００１１】
また、本発明の選択的な一態様として、上記分圧回路は、コンデンサ分圧回路にて上記端子電圧を所定割合に分圧するとともに、この分圧された端子電圧を分割抵抗にて所定割合に分圧して出力するように構成してもよい。該構成によれば、高圧・高周波の交流電流を所定割合まで減じた分圧を、簡易な回路構成で生成することが出来る。
【００１２】
また、本発明の選択的な一態様として、上記ピークホールド回路は、上記分圧回路の出力する分圧をアノードに入力されている第３ダイオードと、該第３ダイオードのカソードに一端を接続されるとともに他端をグランドに接続された第２抵抗と、上記第３ダイオードのカソードおよび第２抵抗の一端に一端が接続されるとともに他端をグランドに接続された第１コンデンサと、を備える構成としてもよい。該構成によれば、上記分圧回路の出力する交流を整流平滑したピークホールド電圧を上記第１コンデンサに充電しつつ、上記第２抵抗が上記第１コンデンサに充電された電圧を所定の時定数で放電するため、高周波の端子電圧に応じた的確なピークホールド電圧を生成可能となる。
【００１３】
また、本発明の選択的な一態様として、上記等価電圧検出回路と上記比較回路の間に、上記ＯＲ電圧のピーク値をホールドするピークホールド回路を備える構成としてもよい。該構成によれば、上記比較回路に入力される電圧を、安定化させることができる。
【００１４】
また、本発明の選択的な一態様として、上記ピークホールド回路は入力される電圧を蓄積するコンデンサと並列に挿入される抵抗とにより所定の時定数で上記入力される電圧を放電する時定数回路を備えており、上記等価電圧検出回路の後段に設けられるピークホールド回路は、上記等価電圧検出回路の前段に設けられるピークホールド回路よりも時定数を大きく設定される構成としてもよい。該構成によれば、前段のピークホールド回路のそれぞれにおいて流れる電流と後段のピークホールド回路に流れる電流との釣り合いを取りつつ、後段のピークホールド電圧の時定数を大きくすることによって上記ＯＲ電圧を平滑化することができる。
【００１５】
なお、上述した表示装置は、他の機器に組み込まれた状態で実施されたり他の方法とともに実施されたりする等の各種の態様を含む。また、本発明は上記表示装置を備える表示システムとしても実現可能である。この表示システムの発明も、上述した作用、効果を奏する。むろん、請求項２〜６に記載した構成も、前記システムに適用可能である。
【発明の効果】
【００１６】
以上説明したように本発明によれば、複数の放電灯の中の一部に電圧低下が発生したときに、この一部の放電灯の電圧低下を確実に検出しつつ、効率的に複数の放電灯の端子電圧を監視することが可能な表示装置を提供することができる。
また請求項２にかかる発明によれば、等価電圧検出回路の前段と後段との間に電流が流れないようにしつつ、上記複数のピークホールド回路において生成されるピークホールド電圧の等電位を後段に伝えることができる。
そして請求項３にかかる発明によれば、高圧・高周波の交流電流を所定割合まで減じた分圧を、簡易な回路構成で生成出来る。
さらに請求項４にかかる発明によれば、高周波の交流に対応する的確なピークホールド電圧を生成可能となる。
また請求項５にかかる発明によれば、比較回路に入力される電圧を安定化させることができる。
そして請求項６にかかる発明によれば、前段のピークホールド回路のそれぞれにおいて流れる電流と後段のピークホールド回路に流れる電流との釣り合いを取りつつ、後段のピークホールド電圧の時定数を大きくすることによって上記ＯＲ電圧を平滑化することができる。
【図面の簡単な説明】
【００１７】
【図１】テレビジョンの概略構成を示すブロック図である。
【図２】プロテクト回路の回路図である。
【図３】プロテクト処理の流れを示すフローチャートである。
【図４】プロテクト回路の各所における電圧の経時変動の測定結果を示すグラフである。
【発明を実施するための形態】
【００１８】
以下、下記の順序に従って本発明の実施形態を説明する。
（１）本実施形態の構成：
（２）プロテクト回路：
（３）プロテクト処理：
（４）まとめ：
【００１９】
（１）本実施形態の構成： 
図１は、本発明が適用される表示装置としてのテレビジョン１００の概略構成を示すブロック図である。なお、本実施形態ではテレビジョン１００を例にとって説明を行うが、本発明はこれに限定されるものではなく、放電灯をバックライトとして利用する表示部を備えた電気電子機器であれば本発明を適用可能である。また、同図では発明に関係しない部位については記載を省略してある。
【００２０】
図１において、テレビジョン１００は、チューナ１０と、映像処理部１２と、液晶パネル１６と、この液晶パネル１６の各セルを映像信号に基づいて制御する駆動回路１４と、液晶パネル１６の背面から光を照射する光源であるバックライト１８と、バックライト１８に電源電圧を供給するインバータ回路２０と、商用の交流電源を入力されつつこの交流電源に基づいて電源電圧を生成してインバータ回路２０を含めたテレビジョン１００の各部に供給する電源回路２２と、テレビジョン１００全体を制御する制御部として機能するマイコン２４と、を備えている。また、テレビジョン１００は、インバータ回路２０の出力を監視して、監視結果をマイコン２４に通知するプロテクト回路３０を備えている。各部１０，１２，１４，２４はＩＩＣバスなどの汎用的な通信バスで接続されており、所定の通信プロトコルに基づいて互いに通信可能になっている。
【００２１】
チューナ１０は地上波放送信号を受信可能なアンテナやケーブルテレビ回線などに接続されており、アナログやデジタルのテレビ放送信号を入力される。チューナ１０はマイコン２４の制御にしたがって選局動作を行うことにより、入力されたテレビ放送信号の中からテレビ放送帯域に対応した所望周波数のテレビ放送信号を受信する。そして、受信したテレビ放送信号から所要の信号だけを選択して高周波増幅し、中間周波信号に変換して出力する。
【００２２】
映像処理部１２は、チューナ１０から入力された中間周波信号の信号レベルに応じてデジタル化する。そして、デジタル化された中間周波信号に各種の信号処理を施すことにより、ＲＧＢ（赤、緑、青）で表現される映像信号（ＲＧＢ信号）や同期信号、音声信号を復元する。復元された同期信号は、所定の信号処理が施された後、マイコン２４に出力され、復元された音声信号は、不図示の音声処理部で増幅やトーン調整が行われてから不図示のスピーカに出力される。また、映像処理部１２は、復元されたＲＧＢ信号に対して表示装置の画素数（横縦比、ｍ：ｎ）に合わせたスケーリング処理を行って表示装置の１画面分の画像データを生成する。このように生成された画像データは駆動回路１４に出力される。
【００２３】
マイコン２４は、マイコン２４内部の構成部品としてのＣＰＵが、同じくマイコン２４内の構成部品であるＲＯＭやＲＡＭなどに書き込まれた各プログラムに従って演算処理を行うことにより、テレビジョン１００全体を制御する。またマイコン２４はタイマ回路を内蔵しており、タイマ回路の発生するクロック信号を取得している。従って、制御プログラムを所定時間おきに実行したり、所定のタイミングでプログラムを実行したりすることが出来る。なお、図１においては、ＣＰＵやＲＯＭやＲＡＭやタイマ回路については図示を省略している。
【００２４】
マイコン２４は、不図示のリモコンのキー操作と電圧信号との対応関係を保持しており、この対応関係を参照することによりリモコンで行われたキー操作を検知し、マイコン２４は、対応するチャンネルを受信させるように周波数データをチューナ１０に送出することができる。例えば、ユーザーが不図示のリモコンを用いて所望のチャンネルを受信させるべく操作すると、リモコン信号が出力され、不図示のリモコン受信部がこのリモコン信号を受信し、リモコン受信部はリモコン信号に対応する電圧信号をマイコン２４に出力する。マイコン２４は、この電圧信号に基づいてキー操作を検知することができる。
【００２５】
バックライト１８は、複数の蛍光管を備えており、インバータ回路２０から供給された交流電圧でこれらの蛍光管が点灯する。本実施形態においては、これら蛍光管が放電灯を構成し、インバータ回路２０もしくは、インバータ回路２０と電源回路２２との組合せが電源供給回路を構成する。インバータ回路２０は、電源回路２２から供給される直流電圧にもとづいて、高周波かつ高圧の交流電圧をバックライト１８を構成する蛍光管の端子ごとに生成している。従って、インバータ回路２０の出力電圧が全体的に変動することもむろんあるが、インバータ回路２０から蛍光管の各端子に供給される電圧ごとにも変動する。本実施形態のプロテクト回路３０は、インバータ回路２０の出力変動を総合的に監視するとともに、複数の蛍光管の各端子ごとの変動を個別にも監視する。以下、プロテクト回路３０の具体的構成について説明する。
【００２６】
（２）プロテクト回路： 
図２は、プロテクト回路３０の回路図である。同図に示すように、プロテクト回路は、高電圧用の分圧回路３１ａ，３１ｂ，３１ｃ，・・・と、ピークホールド回路３２ａ，３２ｂ，３２ｃ，・・・と、等価電圧検出回路３３と、ピークホールド回路３４と、比較検知回路３５と、プロテクト信号生成回路３６と、を備えている。なお、図２には、分圧回路とピークホールド回路とを３つずつ示してあるが、実際には蛍光管の灯数にあわせて形成される。例えば、蛍光管として４本のＵ字管を用い、Ｕ字管の両端の電圧をそれぞれに監視する場合は、分圧回路とピークホールド回路とを８組設けることになる。なお、Ｕ字管の両端には、正負が反転した高周波の交流が印加されている。
【００２７】
分圧回路３１ａは、コンデンサＣＨと、コンデンサＣＬと、抵抗ＲＨ１と、抵抗ＲＬ１と、を備えている。コンデンサＣＨ，ＣＬは分圧コンデンサを構成しており、インバータ回路２０から蛍光管の端子に入力されている高周波の交流電圧であるインバータ電圧Ｖｉｎｖの供給ラインとグランドとの間に直列接続されている。このように接続されたコンデンサＣＨ，ＣＬの間の分圧点には、インバータ電圧Ｖｉｎｖの分圧Ｖｄｉｖ１が発生することになる。なお、コンデンサＣＨ，ＣＬが本実施形態におけるコンデンサ分圧回路を構成する。一方、抵抗ＲＨ１，ＲＬ１も分割抵抗を構成しており、分圧Ｖｄｉｖ１とグランドとの間に直列接続されている。このように接続された抵抗ＲＨ１，ＲＬ１の分割点には、分圧Ｖｄｉｖ１の分圧Ｖｄｉｖ２が発生する。
【００２８】
以上のように構成された分圧回路３１ａは、インバータ電圧Ｖｉｎｖの各瞬時値を所定割合に低下した分圧Ｖｄｉｖ２を出力することになる。なお、他の分圧回路３１ｂ，３１ｃ，・・・は、分圧回路３１ａと同様の構成であり、分圧Ｖｄｉｖ２と同様の分圧を、分圧回路３１ａとは異なる蛍光管の端子に入力されるインバータ電圧Ｖｉｎｖに基づいてそれぞれ生成して出力することになる。
【００２９】
ピークホールド回路３２ａは、分圧回路３１ａの出力する分圧Ｖｄｉｖ２をアノードに入力されているダイオードＤ１と、ダイオードＤ１のカソードに一端を接続されるとともに他端をグランドに接続された抵抗Ｒ１と、ダイオードＤ１のカソードおよび抵抗Ｒ１の一端に一端が接続されるとともに他端をグランドに接続されたコンデンサＣ１と、を備えている。なお、本実施形態において、ダイオードＤ１が第３ダイオードを構成し、抵抗Ｒ１が第２抵抗を構成し、コンデンサＣ１が第１コンデンサを構成する
【００３０】
以上のように構成されたピークホールド回路３２ａにおいては、ダイオードＤ１が分圧Ｖｄｉｖ２を半波整流した脈流を生成するとともに、コンデンサＣ１がこの脈流を充電する。コンデンサＣ１と抵抗Ｒ１とはＣＲ時定数回路を構成しているため、コンデンサＣ１に蓄積された電荷は所定の時定数で抵抗Ｒ１を介して放電する。ただし、インバータ電圧Ｖｉｎｖに対応して変動する分圧Ｖｄｉｖ２は高周波であるため、インバータ電圧Ｖｉｎｖの出力中は、そのピーク値に対応するピークホールド電圧がコンデンサＣ１に充電されることになる。すなわち、ピークホールド回路３２ａは、分圧Ｖｄｉｖ２の整流平滑回路として作用することになる。
【００３１】
また、コンデンサＣ１には、後述の等価電圧検出回路３３を構成する抵抗ＲｂｉａｓとダイオードＤ２１とを介して、定電圧源からＶｒｅｆが印加されているため、いったんコンデンサＣ１の電圧が上昇すると放電しにくくなっている。そのため、ピークホールド回路３２ａは、分圧Ｖｄｉｖ２のピーク値に対応するピークホールド電圧Ｖｐｅａｋ１を安定して出力することができる。なお、他のピークホールド回路３２ｂ，３２ｃ，・・・には、各々分圧回路３１ｂ，３１ｃ，・・・から分圧Ｖｄｉｖ２と同様の分圧が入力されており、ピークホールド回路３２ａの出力するＶｐｅａｋ１と同様にして生成されたピークホールド電圧を出力することになる。
【００３２】
等価電圧検出回路３３は、ピークホールド回路３２ａの出力するピークホールド電圧Ｖｐｅａｋ１をカソードに入力されているダイオードＤ２１ならびにピークホールド回路３２ｂ，３２ｃ，・・・の出力するピークホールド電圧がそれぞれカソードに入力されているダイオードＤ２２，Ｄ２３，・・・と、ダイオードＤ２１，Ｄ２２，Ｄ２３，・・・のアノードに一端を接続されるとともに他端に所定の電圧源から定電圧Ｖｒｅｆを入力されている抵抗Ｒｂｉａｓと、ダイオードＤ２１，Ｄ２２，Ｄ２３，・・・のアノードや抵抗Ｒｂｉａｓの一端にアノードを接続されているダイオードＤ３と、を備えている。なお、本実施形態において、ダイオードＤ２１，Ｄ２２，Ｄ２３，・・・が複数のダイオードを構成し、抵抗Ｒｂｉａｓが第１抵抗を構成し、ダイオードＤ３が第２ダイオードを構成している。
【００３３】
以上のように構成された等価電圧検出回路３３は、各ピークホールド回路から出力されるピークホールド電圧の論理和となるＯＲ電圧ＶＯＲを、ダイオードＤ２１，Ｄ２２，Ｄ２３，・・・のアノードとダイオードＤ３のアノードとの接続点に発生することになる。論理和とは、ピークホールド回路３２ａ，３２ｂ，３２ｃ，・・・のそれぞれに発生するピークホールド電圧の中で、いずれか最も低い電圧のものがＯＲ電圧ＶＯＲとなることを意味する。すなわち、複数ある蛍光管の中で、最も低下している端子電圧に対応するピークホールド電圧がＯＲ電圧となる。このようにして生成されたＯＲ電圧ＶＯＲは、ダイオードＤ３を介して後段のピークホールド回路３４に出力される。
【００３４】
ピークホールド回路３４は、上記等価電圧検出回路３３の一部を構成するダイオードＤ３と、ダイオードＤ３のカソードに一端を接続されるとともに他端をグランドに接続された抵抗Ｒ３と、ダイオードＤ３のカソードや抵抗Ｒ３の一端に一端を接続されるとともに他端をグランドに接続されたコンデンサＣ３と、を備える。
【００３５】
以上のように構成されたピークホールド回路３４は、等価電圧検出回路３３を間に挟んで、ピークホールド回路３２ａ，３２ｂ，３２ｃ，・・・と対称的に配置されている。また、ピークホールド回路３４は、ピークホールド回路３２ａ，３２ｂ，３２ｃ，・・・と同様に、抵抗Ｒ３とコンデンサＣ３がＣＲ時定数回路を構成しており、抵抗ＲｂｉａｓとダイオードＤ２１とを介して定電圧源から印加されるＶｒｅｆの作用もあるため、入力されたＯＲ電圧ＶＯＲのピーク値をピークホールド電圧Ｖｐｅａｋ２として安定出力する。
【００３６】
また、等価電圧検出回路３３のダイオードＤ２１，Ｄ２２，Ｄ２３，・・・とダイオードＤ３の整流作用により、ピークホールド回路３２ａ，３２ｂ，３２ｃ，・・・とピークホールド回路３４との間には電流は流れないようになっている。それと同時に、等価電圧検出回路３３の作用により、ピークホールド回路３２ａ，３２ｂ，３２ｃ，・・・に発生するピークホールド電圧（ピークホールド回路３２ａであればピークホールド電圧Ｖｐｅａｋ１）とＯＲ電圧ＶＯＲとピークホールド電圧Ｖｐｅａｋ２とは等電位となる。
【００３７】
なお、ピークホールド回路３４を構成する抵抗Ｒ３とコンデンサＣ３とによって構成されるＣＲ時定数回路の時定数は、等価電圧検出回路３３の前段にあるピークホールド回路のＣＲ時定数回路の時定数よりも大きくなるように素子を選択することが好ましい。その理由として、１つには、前段のピークホールド回路が複数で構成されていて、前段のピークホールド回路のそれぞれにおいて流れる電流と後段のピークホールド回路３４に流れる電流との釣り合いを取るという意味合いがあるが、もう１つの理由として、後段のピークホールド回路の時定数を大きくすることによってＯＲ電圧ＶＯＲにおける変動を緩和させてＶｐｅａｋ２を平滑化するという意味合いもある。
【００３８】
比較検知回路３５は、所定の定電圧源から定電圧Ｖｒｅｆを一端に入力された抵抗Ｒｒｅｆ＿Ｈと、抵抗Ｒｒｅｆ＿Ｈの他端に一端を接続されるとともに他端をグランドに接続された抵抗Ｒｒｅｆ＿Ｌと、分割抵抗を構成している抵抗Ｒｒｅｆ＿Ｈ，Ｒｒｅｆ＿Ｌの分割点に＋端子が接続されるとともに−端子にピークホールド電圧Ｖｐｅａｋ２が入力されているコンパレータＯＰと、を備えている。コンパレータＯＰには、プラス電源として定電圧Ｖｃｃが入力されるとともに、マイナス電源としてグランドの電位が入力されている。抵抗Ｒｒｅｆ＿Ｈ，Ｒｒｅｆ＿Ｌの分割点には、分割電圧Ｖｄｉｖ３が発生している。
【００３９】
以上のように構成された比較検知回路３５は、コンパレータＯＰは、＋端子の分割電圧Ｖｄｉｖ３と−端子のピークホールド電圧Ｖｐｅａｋ２とを比較しており、−側のピークホールド電圧Ｖｐｅａｋ２が＋側の分割電圧Ｖｄｉｖ３よりも大きければＧＮＤを出力し、＋側の分割電圧Ｖｄｉｖ３が−側のピークホールド電圧Ｖｐｅａｋ２よりもが大きければ出力が開放となってＶｃｃを出力する。
【００４０】
プロテクト信号生成回路３６は、コンパレータＯＰの出力端子に一端を接続された抵抗ＲＨ２と、抵抗ＲＨ２の他端に一端を接続されるとともに他端をグランドに接続された抵抗ＲＬ２と、分割抵抗を構成する抵抗ＲＨ２，ＲＬ２の分割点にベースを接続されるとともにエミッタを接地されたトランジスタＴｒと、を備えている。トランジスタＴｒのコレクタは、マイコン２４の所定のポートに接続されるとともに、抵抗を介して所定の定電圧に接続されている。以上の比較検知回路３５とプロテクト信号生成回路３６が、本実施形態において比較回路を構成する。
【００４１】
以上のように構成されたプロテクト信号生成回路３６においては、コンパレータＯＰの出力が０Ｖ（グランド電位）の間は、分割抵抗の分割点の電位が低いためトランジスタＴｒはオンせず、プロテクト信号は所定の定電圧源によって一定電圧に維持されている。この一定電圧は、マイコン２４にとってＨ論理として認識される電圧である。一方、コンパレータＯＰの出力がＶｃｃになると、分割抵抗の分割点にトランジスタＴｒのオン電圧以上の電圧が発生するようになっており、トランジスタＴｒがオンするとプロテクト信号のラインをグランドに引き込むことになる。このグランド電位は、マイコン２４にとってＬ論理として認識される電圧であり、本実施形態において所定の制御信号を構成する。
【００４２】
以上のように、プロテクト回路３０は、等価電圧検出回路３３の前段に分圧回路３１ａ，３１ｂ，３１ｃ，・・・とピークホールド回路３２ａ，３２ｂ，３２ｃ，・・・とを複数の蛍光管の端子毎に設けることによって蛍光管それぞれの端子に発生するインバータ電圧Ｖｉｎｖ個別に監視している。また、その監視の結果として各インバータ電圧Ｖｉｎｖに対応する電圧として複数のピークホールド回路からそれぞれ出力されるピークホールド電圧の論理和を等価電圧検出回路３３が生成している。このように、等価電圧検出回路３３が監視結果の論理和を生成することにより、等価電圧検出回路３３以降の回路（ピークホールド回路３４、比較検知回路３５、プロテクト信号生成回路３６）は、蛍光管の端子が多数であっても一組だけ設ければ済むことになる。
【００４３】
（３）プロテクト処理： 
以上のように構成されたプロテクト回路から出力されるプロテクト信号に基づいて、テレビジョン１００を保護するマイコン２４の処理について説明する。この保護を行うマイコン２４が、本実施形態における保護手段を構成する。なお、保護手段としては、マイコン２４のようにプログラム実行環境を備えるものに限定されるものではなく、プロテクト信号に基づいて、インバータ回路２０の動作を停止させることによりバックライト１８の保護を行う制御主体であればいかなるものであっても構わない。
図３は、プロテクト処理の流れを示すフローチャートである。同図に示す処理は、テレビジョン１００の電源がオンの間は、マイコン２４によって所定時間置きに繰り返し実行されている。
【００４４】
処理が開始されると、マイコン２４は、カウンタを初期化し（Ｓ１０）、所定ポートに入力されているプロテクト信号の電圧値を取得し（Ｓ１５）。そして、検査電圧が１．０Ｖ以下であるか否かを判断する（Ｓ２０）。なお、この判断における１．０Ｖという閾値は、Ｈ論理とＬ論理とを区別するための閾値であり、Ｈ論理とＬ論理との中間的な値であれば様々に変更可能である。ステップＳ２０において、電圧が１．０Ｖ以下であるときは（Ｓ２０：Ｙｅｓ）カウンタをインクリメントして（Ｓ２５）ステップＳ３０に進み、電圧が１．０Ｖよりも大きいときは（Ｓ２０：Ｎｏ）プロテクト処理を終了する。
【００４５】
ステップＳ３０では、カウンタが３以上であるか否かを判断し、カウンタが３以上のときはステップＳ４０に進み（Ｓ３０：Ｙｅｓ）、カウンタが３未満のときはステップＳ３５に進む（Ｓ３０：Ｎｏ）。この判断分岐は、プロテクト信号がノイズなどが原因でＬ論理に落ち込んでいる瞬間にステップＳ１５の電圧値の取得が行われてしまう可能性を考慮した処理であり、所定時間以上のあいだＬ論理が継続されているか否かを判断するものである。なお、本実施形態では、後述のステップＳ３５で時間経過を判断する５０ｍｓを４倍（Ｓ３０でＹｅｓになる際のカウンタ数に対応する）した時間である２００ｍｓがこの所定時間に相当する。
【００４６】
ステップＳ３５では、ステップＳ１５で１．０Ｖ以下の電圧を検出してから５０ｍｓ経過しているかを判断し、５０ｍｓが経過しているときはステップＳ１５に戻ってステップＳ１５以降の処理を繰り返し（Ｓ３５：Ｙｅｓ）、５０ｍｓが経過していないときはステップＳ３５の処理を繰り返す（Ｓ３５：Ｎｏ）。
【００４７】
一方、ステップＳ４０に進むと、マイコン２４は、テレビジョン１００をシャットダウンする。シャットダウンの手法は様々であるが、例えば、電源回路２２からインバータ回路２０に対する電源電圧供給を停止させたり、電源回路２２そのものの電源電圧供給を停止させたりすることにより実現可能である。テレビジョン１００をシャットダウンさせる制御を行った後、マイコン２４は、プロテクト処理を終了する。
【００４８】
図４は、以上のプロテクト処理が実行されたときの、プロテクト回路３０の各所における電圧の経時変動の測定結果を示すグラフである。同図では、分圧回路３１ａに接続されている蛍光管に異常が発生した場合を例にとってあり、この蛍光管の端子電圧であるインバータ電圧Ｖｉｎｖと、ダイオードＤ１のカソード電圧であるピークホールド電圧Ｖｐｅａｋ１と、ダイオードＤ３のカソード電圧であるＶｐｅａｋ２と、プロテクト信号の電圧と、を示してある。
【００４９】
同図に示すように、インバータ回路２０において短絡や高圧端子間放電などの動作異常が発生すると、インバータ電圧Ｖｉｎｖの出力が低下する。すると、インバータ電圧Ｖｉｎｖが低下するに従ってピークホールド電圧Ｖｐｅａｋ１も低下し、これに追随してピークホールド電圧Ｖｐｅａｋ２も低下して行く。コンパレータＯＰの＋端子に入力されている比較用の定電圧は、図に示す閾電圧Ｖｔｈに設定されており、ピークホールド電圧Ｖｐｅａｋ２がこの閾電圧Ｖｔｈよりも下回ることによりコンパレータＯＰの出力がグランド電位からＶｃｃに変化する。
【００５０】
すると、プロテクト信号も、Ｈ論理からＬ論理に変化する。マイコン２４は、Ｌ論理が２００ｍｓ以上継続した場合には電源回路２２の動作を停止させ、テレビジョン１００をシャットダウンする。電源回路２２が停止するとインバータ電圧Ｖｉｎｖの出力も停止するため、動作異常が発生したときに速やかにインバータ回路２０の出力を停止して、バックライト１８を保護することが出来る。また、２００ｍｓ以上のあいだ動作異常が継続した場合にのみテレビジョン１００をシャットダウンすることにより、ノイズなどの瞬間的な電圧変動でテレビジョン１００がシャットダウンすることを防止できる。
【００５１】
（４）まとめ： 
以上説明したように、本実施形態のテレビジョン１００は、バックライト１８の複数の蛍光管のそれぞれに交流電源を供給する電源回路２２と、蛍光管ごとに設けられるとともに各蛍光管の端子電圧を所定割合に分圧する複数の分圧回路３１ａ，３１ｂ，３１ｃ，・・・と、分圧回路ごとに設けられるとともに対応する分圧回路の分圧のピークホールド電圧を生成する複数のピークホールド回路３２ａ，３２ｂ，３２ｃ，・・・と、複数のピークホールド電圧の最小値をＯＲ電圧として出力する等価電圧検出回路３３と、ＯＲ電圧が所定電圧よりも低下するとプロテクト信号を出力する比較検知回路３５ならびにプロテクト信号生成回路３６と、プロテクト信号生成回路３６からプロテクト信号を入力されるとテレビジョン１００をシャットダウンするマイコン２４と、を備えている。よって、プロテクト回路３０の回路規模や回路コストを抑えつつ、複数の蛍光管の中の一部に電圧低下が発生したときに、この一部の放電灯の電圧低下を確実に検出可能となっている。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５３】
１０…チューナ、１２…映像処理部、１４…駆動回路、１６…液晶パネル、１８…バックライト、２０…インバータ回路、２２…電源回路、２４…マイコン、３０…プロテクト回路、３１ａ，３１ｂ，３１ｃ…分圧回路、３２ａ，３２ｂ，３２ｃ…ピークホールド回路、３３…等価電圧検出回路、３４…ピークホールド回路、３５…比較検知回路、３６…プロテクト信号生成回路、１００…テレビジョン、Ｃ１…コンデンサ、Ｃ３…コンデンサ、ＣＨ…コンデンサ、ＣＬ…コンデンサ、Ｄ１…ダイオード、Ｄ３…ダイオード、Ｄ２１…ダイオード、Ｄ２２…ダイオード、Ｄ２３…ダイオード、ＯＰ…コンパレータ、Ｒ１…抵抗、Ｒ３…抵抗、ＲＨ１…抵抗、ＲＬ１…抵抗、ＲＨ２…抵抗、ＲＬ２…抵抗、Ｒｒｅｆ＿Ｈ…抵抗、Ｒｒｅｆ＿Ｌ…抵抗、Ｒｂｉａｓ…抵抗、Ｔｒ…トランジスタ
【図１】
2011102937.tif 000003
【図２】
2011102937.tif 000004
【図３】
2011102937.tif 000005
【図４】
2011102937.tif 000006